(57)【要約】【課題】日常的な開閉に便利であり、かつケージ内の掃除も簡単にできる扉の構造を備えたペット用ケージを提供する。【解決手段】本発明に係るペット用ケージ１は、金属製の線材からなる正面パネル３、左右の側面パネル５及び背面パネル７によって周面が矩形状に形成され、これらの上端に金属製の線材からなる上面パネル９が設置され、下端には底枠１１が形成されてなるペット用ケージ１であって、正面パネル３は、略半分が横方向にスライドして開くスライド扉４５を有し、かつ上辺側が回動可能に取り付けられて、下端側を上方に跳ね上げて開放でき、開放した状態で上面パネル９の下方に収納可能になっていることを特徴とするものである。【選択図】  図１
2018113881.tif 000002
【特許請求の範囲】
【請求項１】
線材からなる正面パネル、左右の側面パネル及び背面パネルによって周面が矩形状に形成され、これらの上端に線材からなる上面パネルが設置されてなるペット用ケージであって、
前記正面パネルは、扉を有し、かつ上辺側が回動可能に取り付けられて、下端側を上方に跳ね上げて開放でき、開放した状態で前記上面パネルの下方または上方に収納可能になっていることを特徴とするペット用ケージ。
【請求項２】
前記正面パネルの扉は横方向にスライドして開くスライド扉であることを特徴とする請求項１記載のペット用ケージ。
【請求項３】
前記左右の側面パネルの上辺の近傍にスライドガイドが設けられ、かつ前記正面パネルはその上端部にスライド片を有し、該正面パネルの収納時には該スライド片が前記スライドガイドに沿って前記背面パネル側に移動することを特徴とする請求項１又は２に記載のペット用ケージ。
【請求項４】
前記左右の側面パネルは、その前側の縦辺に前記正面パネルの背面側に重なるように延出する延出面部を有し、
前記正面パネルは閉止状態で前記延出面部に当接して、該延出面部に留め具によって留められていることを特徴とする請求項１乃至３のいずれか一項に記載のペット用ケージ。
【請求項５】
平面視でコ字状に形成された底枠を有し、該底枠はその後辺側が床に接触した状態で前側を浮かして斜めにしたときに接地する車輪を背面側に有し、かつ、
鋼製で矩形状に形成され、その下辺が前記底枠のコ字の開口を横切ると共に前記正面パネルの外周縁に配設された矩形補強枠部材を有することを特徴とする請求項１乃至４のいずれか一項に記載のペット用ケージ。
【請求項６】
前記上面パネルの前辺部が、前記矩形補強枠部材に係止部材によって係脱可能に連結されていることを特徴とする請求項５記載のペット用ケージ。
【請求項７】
前記底枠に載置されたトレーを有し、前記矩形補強枠部材が前記トレーの飛び出しを防止していることを特徴とする請求項５又は６に記載のペット用ケージ。
【発明の詳細な説明】
【技術分野】
【０００１】
本発明は、犬や猫等のペットの飼育に用いられるペット用ケージに関する。
【背景技術】
【０００２】
小型犬、猫等のペットを室内で飼育するためのペットサークルやケージは、頻繁に内部（特に底面）を清掃したり、トイレシーツ等の消耗品類を交換したり、餌を補充したりする必要があることから、正面又は天面を大きく開放できるのが好ましい。
このような要請に応えるものとして、例えば特許文献１に開示された「ペット用サークル」がある。
【０００３】
この「ペット用サークル」は、正面パネルがいわゆる観音開きで間口略全体にわたって開放可能となされ、さらに、天面パネルは、少なくともその略前半部が開放可能となされ、正面パネル及び天面パネルを開放すると、正面から天面の少なくとも略前半部にかけて、横架材等によって分断されない一体連続的な開口が形成されることを特徴とするものである（特許文献１の請求項１参照）。
【先行技術文献】
【特許文献】
【０００４】
【特許文献１】特許第５３０５４６７号公報
【発明の概要】
【発明が解決しようとする課題】
【０００５】
特許文献１に開示されたペット用サークルは、確かにサークル内の全体を掃除する際には好適である。
しかしながら、ペット用サークルやペット用ケージにおいて、正面パネルの扉は大掛かりな掃除以外に日常的には、餌や水用の食器の出し入れ、ペットの出入り等のために開閉することが多い。
しかし、特許文献１のように前面パネルが観音開きの構造であると、扉を開放できるようにするため前面パネルの前方に空間を設ける必要があるし、開放した扉が邪魔になる。このため、日常における開閉には不便であるという問題がある。
【０００６】
本発明はかかる課題を解決するためになされたものであり、日常的な開閉に便利であり、かつケージ内の掃除も簡単にできる正面パネルを備えたペット用ケージを提供することを目的としている。
【課題を解決するための手段】
【０００７】
（１）本発明に係るペット用ケージは、線材からなる正面パネル、左右の側面パネル及び背面パネルによって周面が矩形状に形成され、これらの上端に線材からなる上面パネルが設置されてなるペット用ケージであって、
前記正面パネルは、扉を有し、かつ上辺側が回動可能に取り付けられて、下端側を上方に跳ね上げて開放でき、開放した状態で前記上面パネルの下方または上方に収納可能になっていることを特徴とするものである。
【０００８】
（２）また、上記（１）に記載のものにおいて、前記正面パネルの扉は横方向にスライドして開くスライド扉であることを特徴とするものである。
【０００９】
（３）また、上記（１）又は（２）に記載のものにおいて、前記左右の側面パネルの上辺の近傍にスライドガイドが設けられ、かつ前記正面パネルはその上端部にスライド片を有し、該正面パネルの収納時には該スライド片が前記スライドガイドに沿って前記背面パネル側に移動することを特徴とするものである。
【００１０】
（４）また、上記（１）乃至（３）のいずれかに記載のものにおいて、前記左右の側面パネルは、その前側の縦辺に前記正面パネルの背面側に重なるように延出する延出面部を有し、
前記正面パネルは閉止状態で前記延出面部に当接して、該延出面部に留め具によって留められていることを特徴とするものである。
【００１１】
（５）また、上記（１）乃至（４）のいずれかに記載のものにおいて、平面視でコ字状に形成された底枠を有し、該底枠はその後辺側が床に接触した状態で前側を浮かして斜めにしたときに接地する車輪を背面側に有し、かつ、鋼製で矩形状に形成され、その下辺が前記底枠のコ字の開口を横切ると共に前記正面パネルの外周縁に配設された矩形補強枠部材を有することを特徴とするものである。
【００１２】
（６）また、上記（５）に記載のものにおいて、前記上面パネルの前辺部が、前記矩形補強枠部材に係止部材によって係脱可能に連結されていることを特徴とするものである。
【００１３】
（７）また、上記（５）又は（６）に記載のものにおいて、前記底枠に載置されたトレーを有し、前記矩形補強枠部材が前記トレーの飛び出しを防止していることを特徴とするものである。
【発明の効果】
【００１４】
本発明に係るペット用ケージは、正面パネルは、扉を有し、かつ上辺側が回動可能に取り付けられて、下端側を上方に跳ね上げて開放でき、開放した状態で上面パネルの下方又は上方に収納可能になっているので、日常的な正面パネルの扉開閉は扉で行い、大がかりな掃除やベッド等の大きな物の出し入れの際には正面パネルの跳ね上げによる開放を行うことができる。したがって、本発明のペット用ケージの正面パネルは、日常的な開閉に便利であり、かつケージ内の掃除も簡単にできるという優れた効果を奏する。
【図面の簡単な説明】
【００１５】
【図１】本発明の一実施の形態に係るペット用ケージの斜視図であり、一部拡大図を含むものである。なお、一部拡大図Ａにおいては、説明の都合上一部の部品を省略している。
【図２】図１に示したペット用ケージの分解斜視図である。
【図３】図１に示したペット用ケージに用いられる矩形補強枠部材の斜視図である。
【図４】図１に示したペット用ケージに用いられる底枠の斜視図である。
【図５】図１に示したペット用ケージに用いられる側面パネルの斜視図である。
【図６】図１に示したペット用ケージに用いられる上面パネルの斜視図である。
【図７】図１に示したペット用ケージに用いられる正面パネルの斜視図である。
【図８】図１に示したペット用ケージのスライド扉を開扉した状態の斜視図である。
【図９】図１に示したペット用ケージの正面パネルの取付構造の説明図である。
【図１０】図１に示したペット用ケージの正面パネルの跳ね上げ動作の説明図である（その１）。
【図１１】図１に示したペット用ケージの正面パネルの跳ね上げ動作の説明図である（その２）。
【発明を実施するための形態】
【００１６】
本実施の形態に係るペット用ケージ１は、図１、図２に示すように、金属製の線材からなる正面パネル３、左右の側面パネル５及び背面パネル７によって周面が矩形状に形成され、これらの上端に金属製の線材からなる上面パネル９が設置され、下端には底枠１１が配設されたものである。
左右の側面パネル５の上端部には前面側から背面側に延びる連結辺部材１３が連結され、上面パネル９は連結辺部材１３の上面に載置されている。
また、本実施の形態のペット用ケージ１の一つの特徴として、正面の開口を縁取るように鋼製の矩形補強枠部材１５（図３参照）が設けられている。
さらに、底枠１１には、浅底の有底枠形状で上端縁にフランジ部１７ａが形成されたトレー１７が載置されている。
なお、線材は金属製のものに限定されず、各種の材料を用いることができる。
以下、各構成を詳細に説明する。
【００１７】
＜底枠＞
底枠１１は、図４に示すように、前辺側が開口した平面視でコ字形状の樹脂製の部材で形成されている。底枠１１の両側辺の背面側端部には、車輪１９が設けられている。この車輪１９は、ペット用ケージ１を床面に載置した状態で前側を持ち上げて斜めにすると接地して移動をスムーズにするものである。
底枠１１の内周面には、段部２１が設けられ、この段部２１にはトレー１７のフランジ部１７ａが載置される。
【００１８】
底枠１１における各辺部の上面には、左右の側面パネル５及び背面パネル７の下辺に係止して左右の側面パネル５及び背面パネル７を立設するための係止長穴２３が形成されている。
【００１９】
＜矩形補強枠部材＞
矩形補強枠部材１５は、図３に示すように、鋼製の角パイプを矩形状に連結して形成されたものであり、ペット用ケージ１の前面側の剛性の向上に資するものである。
ペット用ケージ１の組立状態では、図２に示すように、矩形補強枠部材１５の下辺部が底枠１１の開口部を横切るように立設されている。矩形補強枠部材１５は底枠１１の開口部を横切るように配置されることで、開口部が開いたり閉じたりするような変形を防止している。
また、矩形補強枠部材１５は、図１に示すように、トレー１７が前方に飛び出ようとした際にトレーの前壁に当接してトレー１７の飛び出しを防止する機能も有している。
【００２０】
＜側面パネル＞
側面パネル５は左右に配置されるが、左右のものは同じ形状なので同じ符号を付して説明する。
なお、左右の側面パネル５を同形状とすることで、組立時において左右の取り違えの問題が発生することがなく、コスト低減の効果もある。
【００２１】
側面パネル５は、図５に示すように、矩形状をしており、その前側の縦辺に正面パネル３の背面側に重なるように延出する延出面部２５を有している。延出面部２５は、閉止状態で留め具２７（図１参照）によって正面パネル３と連結されることで、正面パネル３の跳ね上がり方向のガタつきを防止する。
また、延出面部２５の高さ方向の中程には前方に突出するフック部２９が形成されており、フック部２９が正面パネル３の線材と係止することで正面パネル３の荷重を受けるようになっている（図１の拡大図Ｃ参照）。
【００２２】
側面パネル５の下辺には、底枠１１の係止長穴２３に挿入する係止凸部３１が形成されている。また、側面パネル５の上辺には、連結辺部材１３の下面に形成された係止長穴（図示なし）に挿入する係止凸部３３が形成されている。
【００２３】
＜背面パネル＞
背面パネル７は、図１に示すように、矩形状をしており、その下辺には底枠１１の係止長穴２３に挿入される係止凸部３５が形成されている。背面パネル７は、ペット用ケージ１の組立状態で、左右の側面パネル５に留め具３７（図１参照）によって連結される。
【００２４】
＜上面パネル＞
上面パネル９は、図６に示すように、矩形状をしており、その前辺側には、前後方向（図中の矢印の方向）に移動可能に取り付けられて、矩形補強枠部材１５に係止する係止部材３９が設けられている。係止部材３９には、鉤片３９ａが設けられており、係止部材３９を後方に移動すると鉤片３９ａが矩形補強枠部材１５に係止するようになっている（図１の部分拡大図Ｂ参照）。  上面パネル９は、係止部材３９を前側に移動させて鉤片３９ａの矩形補強枠部材１５に対する係止を外すことで、後辺を回動軸として回動させて開放することができる。
また、上面パネル９の前辺には、矩形補強枠部材１５の上辺に係止して上面パネル９のガタつきを防止する係止部４１が屈曲形成されている。
【００２５】
＜正面パネル＞
正面パネル３は、図７に示すように、矩形状をしており、図中左側がスライド扉４５になっている。スライド扉４５の開放状態では、図８に示すように、正面パネル３のほぼ半分の面積が開放できるようになっている。スライド扉４５には閉扉状態を保持するためのロック部材４７が設けられている。ロック部材４７は平坦な薄型に形成されており、正面パネル３を収納する際に上面パネル９との干渉を防止できるようになっている。
ロック部材４７は操作部４７ａを押し上げ又は押し下げることで、係止片４７ｂが上下に移動して、正面パネル３のロック片５０に係脱可能になっている。
【００２６】
また、正面パネル３には、スライド扉４５を開扉したときに開扉位置を決めるためのロック受け部４９が設けられている。このロック受け部４９は、フック形状をしており、首輪等が引っかかるのを防止している。
【００２７】
正面パネル３は、図９に示すように、連結辺部材１３の内面側に形成されたスライドガイド５３にスライド可能に配設されたスライド片５５に、その上辺の両端が回動可能に支持されている（図１の部分拡大図Ａ参照）。
正面パネル３を閉止した状態すなわち図１、図８に示す状態では、正面パネル３は、スライド片５５に吊下げ支持されると共に、前述した側面パネル５の延出面部２５のフック部２９によって支持されている（図１の部分拡大図Ｃ参照）。
【００２８】
また、正面パネル３の上辺の両端部には背面側に向かって屈曲形成された屈曲片部５１が形成されており、正面パネル３を閉止した状態で矩形補強枠部材１５に当接して正面パネル３の必要以上の上動を規制している。
また、正面パネル３の左右の辺部の下端には前方に向かって屈曲形成された屈曲部５２が形成されている（図７参照）。屈曲部５２は、後述するように、正面パネル３を跳ね上げて上面パネル９の下方に収納する際に、連結辺部材１３の前面に当接して正面パネル３がそれ以上奥にスライドするのを防止する機能を有している（図１０（ｃ）参照）。
【００２９】
上記のように構成された本実施の形態のペット用ケージ１においては、図１に示すように、底枠１１の段部２１にトレー１７のフランジ部１７ａを載置して使用する。このとき、トレー１７が前方に飛び出ようとすると矩形補強枠部材１５の内面がトレー１７の前壁に当接して、トレー１７の飛び出しを防止している。
【００３０】
図１に示すように、正面パネル３を閉止した状態では、正面パネル３の背面側が延出面部２５に当接して留め具２７によって延出面部２５に留められている。このように延出面部２５は正面パネル３の閉止時の位置決め機能を有している。また、延出面部２５があることで、正面パネル３と側面パネル５の境界部分が補強され、ペットが中から押圧しても隙間が生じにくく、ペットの足が挟まるといった事故発生を防止している。
【００３１】
日常の使用においてペットの出入りや餌や水用の食器の出し入れはスライド扉４５の開閉で行うことができる。このとき、スライド扉４５であることから、前面側にスペースが要らず、省スペース化が実現されている。
【００３２】
また、ケージ内に大きなベッドを入れていたような場合においてペットの出し入れや、ケージ内を全体的に掃除するような場合には、図１０（ａ）に示す状態から留め具２７を外して、図１０（ｂ）及び図１１に示すように、正面パネル３の上辺を回動軸として回動させることによって跳ね上げて水平状態にし、さらに図１０（ｃ）に示すように、後方に押し込むことでスライド片５５をスライドさせて上面パネル９の下方に収納する。このとき、前述したように、正面パネル３に設けた屈曲部５２が、連結辺部材１３の前面に当接して正面パネル３がそれ以上奥にスライドするのを防止する。
【００３３】
この正面パネル３の収納状態では、図１０（ｃ）に示すように、前面側の全体が開放されるので、ペット用ケージ１の内部全体を容易に掃除することができる。正面パネル３が跳ね上げた状態では、図１０（ｃ）に示すように、前面の下方には矩形補強枠部材１５以外なにも存在せず開放感があり、トレー１７の引き出しも容易にできる。その一方で、矩形補強枠部材１５があることで、前面側の補強がなされており、剛性が確保されているので、矩形補強枠部材１５の上辺を持ち上げてペット用ケージ１を斜めにして車輪１９を接地させて床面上の移動が容易にできる。
このように、ペット用ケージ１の移動が容易にできるようにしている理由は以下の通りである。
【００３４】
ペット用ケージは、その内部だけの掃除では足りず、ペット用ケージを置いている床面の掃除も必要となる。この場合には、ペット用ケージを常時置いている場所から移動しなければならない。
しかしながら、特許文献１に開示されたものは、「正面から天面の少なくとも略前半部にかけて、横架材等によって分断されない一体連続的な開口が形成される」ことを特徴としているため、ペット用ケージの前面側の剛性がなく、例えば前面パネルを持って持ち上げようとすると、全体が撓んでしまう。このため、ペット用ケージの移動が簡単にできず、ペット用ケージが載置された床面の掃除が簡単ではないという問題もある。
これに対して、本実施の形態のペット用ケージ１は、正面パネル３が跳ね上げ式であるにもかかわらず矩形補強枠部材１５があることで、前面側の剛性が高く、上記のようにペット用ケージ１を簡単に移動することができる。
【００３５】
以上のように、本実施の形態のペット用ケージ１は正面パネル３にスライド扉４５が設けられると共に正面パネル３全体を跳ね上げて開放することができるので、日常の扉開閉はスライド扉４５で行い、大がかりなケージ全体の掃除や大きなベッドの出し入れには正面パネル３の跳ね上げを行うようにすればよく、使い勝手に優れる。しかも、正面に剛性の高い矩形補強枠部材１５を配設しているので、ペット用ケージ１全体の剛性が高く、全体を金属製の線材で形成していても撓みが少なく、前述したようにペット用ケージ１の前面側を持って床面上の移動も容易にできる。
【００３６】
なお、上記の実施の形態では、正面パネル３に設ける扉としてスライド扉４５を例示したが、本発明における正面パネル３に設ける扉はスライド扉に限られず、回動式のものであってもよい。この場合でも、正面パネル３自体が観音開きする場合に比べると、正面パネル３の中に設けた扉の場合には扉が小さいので開放に必要とされる空間は小さくてよい。
また、上記の実施の形態では、正面パネル３を上面パネル９の下方に収納する例を示したが、本発明において正面パネル３は上面パネル９の上方に収納するようにしてもよい。
【符号の説明】
【００３７】
１  ペット用ケージ
３  正面パネル
５  側面パネル
７  背面パネル
９  上面パネル
１１  底枠
１３  連結辺部材
１５  矩形補強枠部材
１７トレー
１７ａ  フランジ部
＜底枠＞
１９  車輪
２１  段部
２３  係止長穴
＜側面パネル＞
２５  延出面部
２７  留め具
２９  フック部
３１  係止凸部
３３  係止凸部
＜背面パネル＞
３５  係止凸部
３７  留め具
＜上面パネル＞
３９  係止部材
３９ａ  鉤片
４１  係止部
＜正面パネル＞
４５  スライド扉
４７  ロック部材
４７ａ  操作部
４７ｂ  係止片
４９  ロック受け部
５０  ロック片
５１  屈曲片部
５２  屈曲部
＜連結辺部材＞
５３  スライドガイド
５５  スライド片
【図１】
2018113881.tif 000003
【図２】
2018113881.tif 000004
【図３】
2018113881.tif 000005
【図４】
2018113881.tif 000006
【図５】
2018113881.tif 000007
【図６】
2018113881.tif 000008
【図７】
2018113881.tif 000009
【図８】
2018113881.tif 000010
【図９】
2018113881.tif 000011
【図１０】
2018113881.tif 000012
【図１１】
2018113881.tif 000013